(57)【要約】ここに記載されるのは、可変利得増幅器の利得モードに少なくとも部分的に依存してデジェネレーションブロック及び／又はフィードバックブロックに可変又はあつらえられたインピーダンスを選択的に与える可変利得増幅器である。これにより、有利なことに、一つ以上の利得モードにおいて性能ペナルティが低減又は排除される。可変インピーダンスは、目標とする利得モードにおける増幅プロセスの線形性を改善するように構成することができる。可変利得増幅器は、信号品質を改善するべく、低利得モードにおいて低損失バイパスモードを与えるように構成される。
2019528657.tif 000002
【特許請求の範囲】
【請求項１】
可変利得信号増幅器であって、
入力信号を受信して増幅された出力信号を生成するべく構成された可変利得段と、
前記可変利得段に結合されて前記可変利得段の複数の利得レベルを与えるべく構成されたデジェネレーションスイッチングブロックと
を含む増幅器。
【請求項２】
前記信号は無線周波数信号を含む請求項１の増幅器。
【請求項３】
前記増幅器は、
前記可変利得段をバイパスするバイパス経路と、
前記可変利得段を通過する増幅経路と
を選択的に与えるように構成される請求項１の増幅器。
【請求項４】
前記デジェネレーションスイッチングブロックはさらに、あつらえられたインピーダンス前記可変利得段に与えるように構成される請求項１の増幅器。
【請求項５】
前記あつらえられたインピーダンスは、前記あつらえられたインピーダンスを有するデジェネレーションスイッチングブロックに結合されない可変利得段と比べ、前記増幅された出力信号において改善された線形性を与えるように構成される請求項４の増幅器。
【請求項６】
前記デジェネレーションスイッチングブロックは、前記複数の利得レベルの第１の利得レベルに対して第１のあつらえられたインピーダンスを与え、前記複数の利得レベルの第２の利得レベルに対して第２のあつらえられたインピーダンスを与えるように構成される請求項４の増幅器。
【請求項７】
前記第１のあつらえられたインピーダンスは前記第２のあつらえられたインピーダンスよりも大きく、
前記第１の利得レベルは前記第２の利得レベルよりも低い請求項６の増幅器。
【請求項８】
前記可変利得段及び前記デジェネレーションスイッチング回路を制御するべく、増幅制御信号を生成するように構成された制御回路をさらに含む請求項１の増幅器。
【請求項９】
前記制御回路は、前記複数の利得レベルに対応する複数の増幅制御信号を与えるように構成される請求項８の増幅器。
【請求項１０】
前記可変利得段の入力部に結合された中間利得モードフィードバックブロックをさらに含み、
前記中間利得モードは、前記複数の利得レベルの部分集合のためにフィードバックを前記可変利得段に与えるように構成される請求項１の増幅器。
【請求項１１】
前記中間利得モードフィードバックブロック及び前記デジェネレーションスイッチングブロックは、前記中間利得フィードバックブロック及び前記デジェネレーションスイッチングブロックが存在しない増幅器と比べ、改善された線形性を前記増幅された出力信号に与える請求項１０の増幅器。
【請求項１２】
前記可変利得段の入力部に結合されたバイパスブロックをさらに含み、
前記バイパスブロックは、前記可変利得段を含まないバイパス経路を与えるべく、前記複数の利得レベルの低利得レベルにおいてアクティブにされるように構成される請求項１の増幅器。
【請求項１３】
前記バイパス経路は前記デジェネレーションスイッチングブロックを含まない請求項１２の増幅器。
【請求項１４】
前記可変利得段の出力部に結合されたカスコードバッファをさらに含む請求項１の増幅器。
【請求項１５】
前記可変利得段に結合された複数の入力ノードをさらに含む請求項１の増幅器。
【請求項１６】
前記増幅器は、前記複数の入力ノードにおいて複数の入力信号を受信するように構成され、
個々の受信した信号が、異なる信号周波数帯域内の周波数を有する請求項１５の増幅器。
【請求項１７】
前記増幅器は、個々の入力ポートにおいて受信した信号を、他の受信した信号の増幅から独立して増幅するように構成される請求項１６の増幅器。
【請求項１８】
デジェネレーションスイッチング回路であって、
様々な利得レベルを有する信号増幅器に結合されて前記様々な利得レベルに関連付けられた様々なインピーダンス値を与えるように構成された可変インピーダンス段と、
前記可変インピーダンス段に動作可能に関連付けられて前記可変インピーダンス段を選択的に基準電位ノードから分離するべく実装されたスイッチと
を含む回路。
【請求項１９】
前記信号増幅器は無線周波数信号を増幅するように構成される請求項１８の回路。
【請求項２０】
前記回路に与えられたバイパス経路が前記可変インピーダンス段をバイパスする請求項１８の回路。
【請求項２１】
前記様々なインピーダンス値は、前記様々な利得レベルに関連付けられた前記様々なインピーダンス値により、前記デジェネレーションスイッチング回路に結合されない信号増幅器と比べ、前記信号増幅器における改善された線形性を与えるように構成される請求項１８の回路。
【請求項２２】
前記可変インピーダンス段は、前記様々な利得レベルの第１の利得レベルに対して第１のあつらえられたインピーダンス値を与え、
前記様々な利得レベルの第２の利得レベルに対して第２のあつらえられたインピーダンス値を与えるように構成される請求項２１の回路。
【請求項２３】
前記可変インピーダンス段及び前記スイッチを制御する増幅制御信号を生成するべく構成された制御回路をさらに含む請求項１８の回路。
【請求項２４】
前記制御回路は、前記様々な利得レベルに対応する複数の増幅制御信号を与えるように構成される請求項２３の回路。
【請求項２５】
フロントエンドアーキテクチャであって、
可変利得段及びデジェネレーションスイッチングブロックを含む可変利得信号増幅器と、
フィルタアセンブリと、
制御器と
を含み、
前記可変利得段は、入力信号を受信して増幅された出力信号を生成するべく構成され、
前記デジェネレーションスイッチングブロックは前記可変利得段に結合されて前記可変利得段の複数の利得レベルを与えるべく構成され、
前記フィルタアセンブリは、前記可変利得信号増幅器の選択入力部に周波数帯域を向けるように前記可変利得信号増幅器に結合され、
前記制御器は、複数の利得モードを与えるべく前記可変利得信号増幅器を制御するように実装され、
低利得モードにおいて、前記可変利得信号増幅器は信号を、前記可変利得段をバイパスする経路に沿うように向けるアーキテクチャ。
【請求項２６】
前記デジェネレーションスイッチングブロックはさらに、あつらえられたインピーダンスを前記可変利得段に与えるように構成される請求項２５のアーキテクチャ。
【請求項２７】
前記あつらえられたインピーダンスは、前記あつらえられたインピーダンスにより、前記デジェネレーションスイッチングブロックに結合されない可変利得段と比べ、前記増幅された出力信号において改善された線形性を与えるように構成される請求項２６のアーキテクチャ。
【請求項２８】
前記デジェネレーションスイッチングブロックは、前記複数の利得レベルの第１の利得レベルに対して第１のあつらえられたインピーダンスを与え、前記複数の利得レベルの第２の利得レベルに対して第２のあつらえられたインピーダンスを与えるように構成される請求項２６のアーキテクチャ。
【請求項２９】
無線デバイスであって、
ダイバーシティアンテナと、
フィルタアセンブリと、
可変利得信号増幅器と、
制御器と
を含み、
前記フィルタアセンブリは、前記ダイバーシティアンテナに結合されて信号を受信して周波数帯域を選択経路に沿うように向け、
前記可変利得信号増幅器は、
入力信号を受信して増幅された出力信号を生成するべく構成された可変利得段と、
前記可変利得段に結合されて前記可変利得段の複数の利得レベルを与えるべく構成されたデジェネレーションスイッチングブロックと
を含み、
前記制御器は、複数の利得モードを与えるべく前記可変利得信号増幅器を制御するように実装され、
低利得モードにおいて、前記可変利得信号増幅器は信号を、前記可変利得段をバイパスする経路に沿うように向けるデバイス。
【請求項３０】
前記デジェネレーションスイッチングブロックはさらに、あつらえられたインピーダンスを前記可変利得段に与えるように構成される請求項２９のデバイス。
【請求項３１】
前記あつらえられたインピーダンスは、前記あつらえられたインピーダンスにより、前記デジェネレーションスイッチングブロックに結合されない可変利得段と比べ、前記増幅された出力信号において改善された線形性を与えるように構成される請求項３０のデバイス。
【請求項３２】
前記デジェネレーションスイッチングブロックは、前記複数の利得レベルの第１の利得レベルに対して第１のあつらえられたインピーダンスを与え、前記複数の利得レベルの第２の利得レベルに対して第２のあつらえられたインピーダンスを与えるように構成される請求項３０のデバイス。
【発明の詳細な説明】
【技術分野】
【０００１】
本開示は、無線通信アプリケーション用の増幅器に関する。
【０００２】
関連出願の相互参照
本願は、２０１６年８月３１日に出願された「デジェネレーションスイッチングブロック及び低損失バイパス機能を有するマルチ入力増幅器」との名称の米国仮出願第６２／３８１，８５１号の優先権を主張する。その全体がすべての目的のために、参照として明示的に組み入れられる。
【背景技術】
【０００３】
無線通信デバイスは典型的に、受信した無線周波数（ＲＦ）信号を増幅するべく構成されたフロントエンドモジュールにコンポーネントを含む。フロントエンドモジュールは、異なるレベルの増幅を与える複数の利得モードを含み得る。
【先行技術文献】
【特許文献】
【０００４】
【特許文献１】米国特許出願公開第２０１０／０３２１１１３（Ａ１）号明細書
【特許文献２】米国特許出願公開第２０１４／０２０３８７２（Ａ１）号明細書
【発明の概要】
【０００５】
一定数の実装によれば、本開示は、入力信号を受信して増幅された出力信号を生成するべく構成された可変利得段と、当該可変利得段に結合されて当該可変利得段の複数の利得レベルを与えるべく構成されたデジェネレーションスイッチングブロックとを含む可変利得信号増幅器に関する。
【０００６】
いくつかの実施形態において、信号は無線周波数信号を含む。いくつかの実施形態において、増幅器は、可変利得段をバイパスするバイパス経路と可変利得段を通過する増幅経路とを選択的に与えるように構成される。
【０００７】
いくつかの実施形態において、デジェネレーションスイッチングブロックはさらに、あつらえられたインピーダンスを可変利得段に与えるように構成される。さらなる実施形態において、あつらえられたインピーダンスは、当該あつらえられたインピーダンスを有するデジェネレーションスイッチングブロックに結合されない可変利得段と比べ、増幅された出力信号において改善された線形性を与えるように構成される。さらなる実施形態において、デジェネレーションスイッチングブロックは、複数の利得レベルの第１の利得レベルに対して第１のあつらえられたインピーダンスを与え、複数の利得レベルの第２の利得レベルに対して第２のあつらえられたインピーダンスを与えるように構成される。なおもさらなる実施形態において、第１のあつらえられたインピーダンスは第２のあつらえられたインピーダンスよりも大きく、第１の利得レベルは第２の利得レベルよりも低い。
【０００８】
いくつかの実施形態において、増幅器はまた、可変利得段及びデジェネレーションスイッチング回路を制御する増幅制御信号を生成するように構成された制御回路も含む。さらなる実施形態において、制御回路は、複数の利得レベルに対応する複数の増幅制御信号を与えるように構成される。
【０００９】
いくつかの実施形態において、増幅器はさらに、可変利得段の入力部に結合された中間利得モードフィードバックブロックを含む。中間利得モードは、複数の利得レベルの部分集合のためのフィードバックを可変利得段に与えるように構成される。さらなる実施形態において、中間利得モードフィードバックブロック及びデジェネレーションスイッチングブロックは、中間利得フィードバックブロック及びデジェネレーションスイッチングブロックが存在しない増幅器と比べ、増幅された出力信号に改善された線形性を与える。
【００１０】
いくつかの実施形態において、増幅器はさらに、可変利得段の入力部に結合されたバイパスブロックを含む。バイパスブロックは、可変利得段を含まないバイパス経路を与えるべく、複数の利得レベルの低利得レベルにおいてアクティブにされるように構成される。さらなる実施形態において、バイパス経路は、デジェネレーションスイッチングブロックを含まない。
【００１１】
いくつかの実施形態において、増幅器はさらに、可変利得段の出力部に結合されたカスコードバッファを含む。いくつかの実施形態において、増幅器はさらに、可変利得段に結合された複数の入力ノードを含む。さらなる実施形態において、増幅器は、複数の入力ノードにおいて複数の入力信号を受信するように構成され、受信した個々の信号は、異なる信号周波数帯域内の周波数を有する。なおもさらなる実施形態において、増幅器は、個々の入力ポートにおいて受信した信号を、他の受信した信号の増幅から独立して増幅するように構成される。
【００１２】
一定数の実装によれば、本開示は、様々な利得レベルを有して当該様々な利得レベルに関連付けられた様々なインピーダンス値を与えるように構成された信号増幅器に結合された可変インピーダンス段と、当該可変インピーダンス段に動作可能に関連付けられて当該可変インピーダンス段を基準電位ノードから選択的に分離するべく実装されたスイッチとを含むデジェネレーションスイッチング回路に関する。
【００１３】
いくつかの実施形態において、信号増幅器は、無線周波数信号を増幅するように構成される。いくつかの実施形態において、回路に与えられたバイパス経路が、可変インピーダンス段をバイパスする。
【００１４】
いくつかの実施形態において、様々なインピーダンス値は、当該様々な利得レベルに関連付けられた様々なインピーダンス値を有するデジェネレーションスイッチング回路に結合されない信号増幅器と比べ、信号増幅器の改善された線形性を与えるように構成される。さらなる実施形態において、可変インピーダンス段は、様々な利得レベルの第１の利得レベルに対して第１のあつらえられたインピーダンス値を与え、様々な利得レベルの第２の利得レベルに対して第２のあつらえられたインピーダンス値を与えるように構成される。
【００１５】
いくつかの実施形態において、回路はさらに、可変インピーダンス段及びスイッチを制御する増幅制御信号を生成するように構成された制御回路を含む。さらなる実施形態において、制御回路は、様々な利得レベルに対応する複数の増幅制御信号を与えるように構成される。
【００１６】
一定数の実装によれば、本開示は、可変利得信号増幅器を含むフロントエンドアーキテクチャに関する。可変利得信号増幅器は、入力信号を受信して増幅された出力信号を生成するべく構成された可変利得段と、当該可変利得段に結合されて当該可変利得段の複数の利得レベルを与えるように構成されたデジェネレーションスイッチングブロックとを含む。フロントエンドアーキテクチャはまた、可変利得信号増幅器に結合されて当該可変利得信号増幅器の選択入力に周波数帯域を向けるフィルタアセンブリも含む。フロントエンドアーキテクチャはまた、複数の利得モードを与えるべく可変利得信号増幅器を制御するように実装された制御器も含む。低利得モードでは、可変利得信号増幅器は、可変利得段をバイパスする経路に沿うように信号を向ける。
【００１７】
いくつかの実施形態において、デジェネレーションスイッチングブロックはさらに、あつらえられたインピーダンスを可変利得段に与えるように構成される。さらなる実施形態において、あつらえられたインピーダンスは、当該あつらえられたインピーダンスを有するデジェネレーションスイッチングブロックに結合されない可変利得段と比べ、増幅された出力信号において改善された線形性を与えるように構成される。さらなる実施形態において、デジェネレーションスイッチングブロックは、複数の利得レベルの第１の利得レベルに対して第１のあつらえられたインピーダンスを与え、複数の利得レベルの第２の利得レベルに対して第２のあつらえられたインピーダンスを与えるように構成される。
【００１８】
一定数の実装によれば、本開示は、ダイバーシティアンテナと、信号を受信しかつ選択経路に沿うように周波数帯域を向けるべく当該ダイバーシティアンテナに結合されたフィルタアセンブリとを含む無線デバイスに関する。無線デバイスはまた、入力信号を受信して増幅された出力信号を生成するべく構成された可変利得段と、当該可変利得段に結合されて当該可変利得段の複数の利得レベルを与えるべく構成されたデジェネレーションスイッチングブロックとを含む可変利得信号増幅器も含む。無線デバイスはまた、複数の利得モードを与えるべく可変利得信号増幅器を制御するように実装された制御器も含む。低利得モードでは、可変利得信号増幅器は、可変利得段をバイパスする経路に沿うように信号を向ける。
【００１９】
いくつかの実施形態において、デジェネレーションスイッチングブロックはさらに、あつらえられたインピーダンスを可変利得段に向けるように構成される。さらなる実施形態において、あつらえられたインピーダンスは、当該あつらえられたインピーダンスを有するデジェネレーションスイッチングブロックに結合されない可変利得段と比べ、増幅された出力信号において改善された線形性を与えるように構成される。さらなる実施形態において、デジェネレーションスイッチングブロックは、複数の利得レベルの第１の利得レベルに対して第１のあつらえられたインピーダンスを与え、複数の利得レベルの第２の利得レベルに対して第２のあつらえられたインピーダンスを与えるように構成される。
【００２０】
本開示をまとめる目的で所定の側面、利点及び新規な特徴が、ここに記載されてきた。かかる利点の必ずしもすべてが、いずれかの特定の実施形態において達成されるというわけではない。よって、本開示の実施形態は、ここに教示される一つの利点又は一群の利点を、ここに教示又は示唆される他の利点を必ずしも達成することなしに、達成又は最適化する態様で実行することができる。
【図面の簡単な説明】
【００２１】
【図１】一次アンテナ及びダイバーシティアンテナを有する無線デバイスを例示する。
【図２】ＤＲｘフロントエンドモジュール（ＦＥＭ）を含むダイバーシティ受信器（ＤＲｘ）構成を例示する。
【図３Ａ】多数入力を受信して受信信号を利得段により選択的に増幅するか又はバイパスブロックを介してバイパス経路を与えるように構成されたマルチ入力利得段を含む可変利得増幅器構成例を例示する。
【図３Ｂ】一定の素子の付加とともに図３Ａの可変利得増幅器と同じコンポーネントを含む他の可変利得増幅器例を例示する。
【図３Ｃ】バイパススイッチが除外された図３Ａの可変利得増幅器と同様の他の可変利得増幅器例を例示する。
【図３Ｄ】一定の素子の付加とともに、図３Ｃの可変利得増幅器と同じコンポーネントを含む他の可変利得増幅器例を例示する。
【図４】入力信号を受信して増幅された出力信号を生成するべく構成された可変利得段を含む可変利得信号増幅器を例示する。
【図５】様々な利得レベルを有する信号増幅器に結合された可変インピーダンス段を含むデジェネレーションスイッチング回路を例示する。
【図６】図３Ｂの可変利得増幅器と同様に構成された可変利得増幅器構成例を例示する。
【図７Ａ】図６の可変利得信号増幅器構成の動作モードの例を例示する。
【図７Ｂ】図６の可変利得信号増幅器構成の動作モードの例を例示する。
【図７Ｃ】図６の可変利得信号増幅器構成の動作モードの例を例示する。
【図８】図６の可変利得信号増幅器構成と同様であるが、バイパススイッチが除外された可変利得信号増幅器を例示する。
【図９】図６の可変利得信号増幅器構成と同様であるが、中間利得モードフィードバックモジュールの代わりにシャットダウンスイッチブロックを有する可変利得信号増幅器を例示する。
【図１０】図９の可変利得信号増幅器構成と同様であるが、バイパススイッチが除外された可変利得信号増幅器１０１０を例示する。
【図１１】いくつかの実施形態において、ダイバーシティ受信器構成のいくつか又はすべてが、モジュール内に全体的に又は部分的に実装され得ることを示す。
【図１２】いくつかの実施形態において、ダイバーシティ受信器構成のいくつか又はすべてが、アーキテクチャ内に全体的に又は部分的に実装され得ることを示す。
【図１３】ここに記載される一つ以上の有利な特徴を有する無線デバイス例を例示する。
【発明を実施するための形態】
【００２２】
ここに与えられる見出しは、あったとしても、単なる便宜上であり、特許請求の範囲に係る発明の範囲又は意味に必ずしも影響を与えるわけではない。
【００２３】
概要
【００２４】
図１は、一次アンテナ１６０及びダイバーシティアンテナ１７０を有する無線デバイス１００を例示する。無線デバイス１００は、制御器１０２により制御され得るＲＦモジュール１０６及び送受信器１０４を含む。送受信器１０４は、アナログ信号（例えば無線周波数（ＲＦ）信号）とデジタルデータ信号との間の変換を行うように構成される。それを目的として、送受信器１０４は、デジタル・アナログ変換器、アナログ・デジタル変換器、ベース帯域アナログ信号を搬送波周波数に又は搬送波周波数から変調又復調する局所発振器、デジタルサンプルとデータビット（例えば音声又は他のタイプのデータ）との間の変換を行うベース帯域プロセッサ、又は他のコンポーネントを含み得る。
【００２５】
ＲＦモジュール１０６は、一次アンテナ１６０と送受信器１０４との間に結合される。ケーブル損失ゆえの減衰を低減するべくＲＦモジュール１０６が一次アンテナ１６０に物理的に近くなり得るので、ＲＦモジュール１０６はフロントエンドモジュール（ＦＥＭ）と称することができる。ＲＦモジュール１０６は、送受信器１０４のために一次アンテナ１６０から受信した、又は一次アンテナ１６０を介して送信するべく送受信器１０４から受信したアナログ信号に処理を施すことができる。それを目的として、ＲＦモジュール１０６は、フィルタ、電力増幅器、低雑音増幅器、帯域選択スイッチ、減衰器、整合回路、及び他のコンポーネントを含み得る。
【００２６】
信号が無線デバイス１００に送信されるとき、信号は、一次アンテナ１６０及びダイバーシティアンテナ１７０の双方において受信され得る。一次アンテナ１６０及びダイバーシティアンテナ１７０は物理的に離間されているので、一次アンテナ１６０及びダイバーシティアンテナ１７０における信号は異なる特性を有するように受信される。例えば、一実施形態において、一次アンテナ１６０及びダイバーシティアンテナ１７０は、異なる減衰、雑音、周波数応答及び／又は位相シフトの信号を受信することができる。送受信器１０４は、信号に対応するデータビットを決定するべく異なる特性の信号の双方を使用することができる。いくつかの実装において、送受信器１０４は、一次アンテナ１６０とダイバーシティアンテナ１７０とから当該特性に基づいて選択することができる。例えば、最高の信号対雑音比のアンテナを選択することができる。いくつかの実装において、送受信器１０４は、一次アンテナ１６０及びダイバーシティアンテナ１７０からの信号を組み合わせ、組み合わされた信号の信号対雑音比を増加させる。いくつかの実装において、送受信器１０４は、マルチ入力／マルチ出力（ＭｉＭｏ）通信を行うように信号を処理する。
【００２７】
いくつかの実施形態において、ダイバーシティアンテナ１７０は、多数のセルラー周波数帯域及び／又は無線ローカルエリアネットワーク（ＷＬＡＮ）周波数帯域の中の信号を受信するように構成される。かかる実施形態において、無線デバイス１００は、ダイバーシティ信号を異なる周波数範囲に分割するべく構成されたダイバーシティアンテナ１７０に結合されたマルチプレクサ、スイッチングネットワーク及び／又はフィルタアセンブリを含み得る。例えば、マルチプレクサは、低帯域セルラー周波数を含む周波数範囲を通過させる低域通過フィルタと、低帯域ＷＬＡＮ信号並びに中間帯域及び高帯域セルラー信号を含む周波数範囲を通過させる帯域通過フィルタと、高帯域ＷＬＡＮ信号を含む周波数範囲を通過させる高域通過フィルタとを含むように構成することができる。本例は、単なる例示目的にすぎない。他例として、マルチプレクサは、高域通過フィルタ及び低域通過フィルタの機能を与えるダイプレクサのような様々な異なる構成を有し得る。
【００２８】
ダイバーシティアンテナ１７０が一次アンテナ１６０から物理的に離間しているので、ダイバーシティアンテナ１７０は、ケーブル又はプリント回路基板（ＰＣＢ）トレースのような送信線を介して送受信器１０４に結合され得る。いくつかの実装において、送信線は損失性であり、ダイバーシティアンテナ１７０において受信する信号を、送受信器１０４に到達する前に減衰させる。よって、いくつかの実装において、ダイバーシティアンテナ１７０において受信する信号には利得が適用される。利得（及びフィルタリングのような他のアナログ処理）は、ダイバーシティ受信器モジュール１０８によって適用することができる。かかるダイバーシティ受信器モジュール１０８は、ダイバーシティアンテナ１７０の物理的に近くに配置されるので、ダイバーシティ受信器フロントエンドモジュールと称することができる。その例がここに詳細に説明される。
【００２９】
ＲＦモジュール１０６及びダイバーシティ受信器モジュール１０８は、一次アンテナ１６０及びダイバーシティアンテナ１７０それぞれからの信号を増幅する複数の利得モードを与えるように構成された可変利得増幅器１１０ａ、１１０ｂを含む。可変利得増幅器１１０ａ、１１０ｂはそれぞれが、利得段１２０と、可変利得増幅器１１０ａ、１１０ｂの一の利得モードに少なくとも部分的に基づいてインダクタンスを変化させるデジェネレーションスイッチングブロック１３０とを含み得る。可変利得増幅器１１０ａ、１１０ｂにおいて受信した信号は利得段１２０を使用して増幅することができ、又は信号には、ここで詳述されるように、利得段１２０をバイパスすることが許容され得る。デジェネレーションスイッチングブロック１３０の選択されるインダクタンス、バイパス経路、及び／又は可変利得増幅器１１０ａ、１１０ｂの利得モードは、制御器１０２によって制御することができる。デジェネレーションスイッチングブロック１３０は、インダクタンスを変更するように構成することができるので、可変利得増幅器１１０ａ、１１０ｂの性能は固定インダクタンスの増幅器と比べて増加し得る。例えば、線形性を増加させることにより、及び／又は増幅中に導入される雑音を低減することにより、性能を増加させることができる。可変利得増幅器１１０ａ、１１０ｂは、多数の入力信号を受信し、単数の信号又は複数の出力信号を出力することができる。一定の実装において、個々の入力は、入力ポート間の入力分離性を改善するべく、対応する個々のデジェネレーションスイッチングブロックを有し得る。
【００３０】
有利なことに、可変利得増幅器１１０ａ、１１０ｂのアーキテクチャは、スイッチを使用することなくマルチ入力処理を与えることができる。可変利得増幅器１１０ａ、１１０ｂは、有利なことに、あつらえられたインダクタンスを有するスイッチング可能デジェネレーションブロックを使用することにより、目標とする又は改善された線形性を達成することができる。可変利得増幅器１１０ａ、１１０ｂは、バイパス経路にシャントスイッチを使用することにより、目標とする又は改善された入力対出力分離性を与えることができる。可変利得増幅器１１０ａ、１１０ｂは、低利得モードのような特定の利得モードにおいて低損失ダイレクトバイパスモードを与えることができる。
【００３１】
制御器１０２は、制御信号を生成するように、及び／又は無線デバイス１００の他のコンポーネントに送信するように、構成することができる。いくつかの実施形態において、制御器１０２は、モバイル産業プロセッサインタフェイスアライアンス（ＭＩＰＩ（登録商標）アライアンス）が与える仕様に少なくとも部分的に基づく信号を与える。制御器１０２は、無線デバイス１００の他のコンポーネントから信号を受信し、他のコンポーネントに受信される制御信号を決定するべく処理するように構成することができる。いくつかの実施形態において、制御器１０２は、信号又はデータを分析し、無線デバイス１００の他のコンポーネントに送信される制御信号を決定するように構成することができる。制御器１０２は、無線デバイス１００が与える利得モードに基づいて制御信号を生成するように構成することができる。例えば、制御器１０２は、利得モードを制御する制御信号を可変利得増幅器１１０ａ、１１０ｂに送信することができる。同様に、制御器１０２は、デジェネレーションスイッチングブロック１３０のインダクタンスを選択する制御信号を生成するように構成することができる。制御器は、バイパス経路を与えるべく可変利得増幅器１１０ａ、１１０ｂを制御する制御信号を生成するように構成することができる。
【００３２】
いくつかの実装において、制御器１０２は、入力部において受信した入力信号のサービス品質メトリックに基づいて増幅器制御信号を生成する。いくつかの実装において、制御器１０２は、通信制御器から受信した信号に基づいて、ひいては当該受信した信号のサービス品質（ＱｏＳ）メトリックに基づいて、増幅器制御信号を生成する。受信した信号のＱｏＳメトリックは、少なくとも部分的に、ダイバーシティアンテナ１７０において受信したダイバーシティ信号（例えば入力部において受信した入力信号）に基づき得る。受信した信号のＱｏＳメトリックはさらに、一次アンテナ１６０において受信した信号に基づき得る。いくつかの実装において、制御器１０２は、通信制御器から信号を受信することなく、ダイバーシティ信号のＱｏＳメトリックに基づいて増幅器制御信号を生成する。いくつかの実装において、ＱｏＳメトリックは信号強度を含む。他例として、ＱｏＳメトリックは、ビット誤り率、データスループット、伝送遅延又は他の任意のＱｏＳメトリックを含み得る。いくつかの実装において、制御器１０２は、可変利得増幅器１１０ａ、１１０ｂにおける増幅器の利得（及び／又は電流）を制御する。いくつかの実装において、制御器１０２は、無線デバイスの他のコンポーネントの利得を、増幅器制御信号に基づいて制御する。
【００３３】
いくつかの実装において、可変利得増幅器１１０ａ、１１０ｂは、受信した信号を、増幅器制御信号が示した複数の設定量の一つの利得によって増幅するように構成されたステップ可変利得増幅器を含み得る。いくつかの実装において、可変利得増幅器１１０ａ、１１０ｂは、受信した信号を、増幅器制御信号に比例し又は示される利得によって増幅するように構成された連続可変利得増幅器を含み得る。いくつかの実装において、可変利得増幅器１１０ａ、１１０ｂは、増幅器制御信号が示した複数の設定量の一つの電流を引き込むことにより、受信した信号を増幅するように構成されたステップ可変電流増幅器を含み得る。いくつかの実装において、可変利得増幅器１１０ａ、１１０ｂは、増幅器制御信号に比例する電流を引き込むことにより、受信した信号を増幅するように構成された連続可変電流増幅器を含み得る。
【００３４】
図２は、ＤＲｘフロントエンドモジュール（ＦＥＭ）２０８を含むダイバーシティ受信器（ＤＲｘ）構成２００を例示する。ＤＲｘ構成２００は、ダイバーシティ信号を受信し、フィルタアセンブリ２７２を介して当該ダイバーシティ信号をＤＲｘ  ＦＥＭ１５０に与えるように構成されたダイバーシティアンテナ１７０を含む。フィルタアセンブリ２７２は、例えば、目標とする周波数範囲内の信号を、デジェネレーションスイッチング回路２３０に結合されたマルチ入力増幅器２２０への各経路に沿うように選択的に向けるべく構成されたマルチプレクサを含み得る。信号は、例えば、セルラー信号（例えば低、中、高及び／又は超高帯域のセルラー周波数）、ＷＬＡＮ信号、ＢＬＵＥＴＯＯＴＨ（登録商標）信号、ＧＰＳ信号等を含むがこれらに限られない無線周波数（ＲＦ）信号としてよい。
【００３５】
ＤＲｘ  ＦＥＭ２０８は、フィルタアセンブリ２７２から受信したダイバーシティ信号に処理を施すように構成される。例えば、ＤＲｘ  ＦＥＭ２０８は、ダイバーシティ信号を、セルラー及び／又はＷＬＡＮ周波数帯域を含み得る一つ以上のアクティブ周波数帯域へとフィルタリングするように構成することができる。制御器１０２は、目標とするフィルタに信号を選択的に向けてフィルタリングを達成するべく、ＤＲｘ  ＦＥＭ２０８を制御するように構成することができる。他例として、ＤＲｘ  ＦＥＭ２０８は、増幅器２２０を使用して、フィルタリングされた信号の一つ以上を増幅するように構成され得る。それを目的として、ＤＲｘ  ＦＥＭ２０８は、フィルタ、低雑音増幅器、帯域選択スイッチ、整合回路及び他のコンポーネントを含み得る。制御器１０２は、ＤＲｘ  ＦＥＭ２０８を通るダイバーシティ信号用の経路をインテリジェントに選択するべく、ＤＲｘ  ＦＥＭ ２０８におけるコンポーネントと相互作用をするように構成することができる。
【００３６】
ＤＲｘ  ＦＥＭ２０８は、処理されたダイバーシティ信号の少なくとも一部分を送受信器１０４に送信する。送受信器１０４は、制御器１０２によって制御することができる。いくつかの実装において、制御器１０２は、送受信器１０４内に実装することができる。
【００３７】
ＤＲｘ  ＦＥＭ２０８は、複数の利得モードを与えるように構成することができる。複数の利得モードに対し、デジェネレーションスイッチング回路２３０の可変インピーダンス段２３２により、異なるインダクタンスを与えることができる。一つ以上の利得モードにおいて、可変インピーダンス段２３２のスイッチ２３４を、増幅器２２０に結合されたインピーダンス（例えばインダクタンス）を選択するように構成することができる。これは、例えば、増幅プロセスの線形性を改善するように行うことができる。このような選択可能インピーダンスは、マルチ入力増幅器アーキテクチャに埋め込むことができる。
【００３８】
いくつかの実施形態において、増幅段に結合された選択可能インピーダンス、例えばＬＮＡ、の利用により、線形性及び／又はＩＩＰ３を改善することができる。スイッチ２３４を有する可変インピーダンス段２３２により、有益なことに、特定の利得モード及び／又は信号振幅のために望ましい又は目標とするインピーダンスに、増幅器２２０を結合することが可能となり得る。いくつかの実施形態において、ＤＲｘ構成２００は、低利得モードで動作するときに増幅をバイパスし、他の利得モードで動作するときに増幅器２２０で信号を増幅するように構成される。これにより、有利なことに、ＤＲｘ構成２００が、特定の利得モードにおける線形性を改善することができる。
【００３９】
いくつかの実施形態において、増幅器２２０は、複数の入力信号を受信して単数の出力信号を与えるように構成される。一定の実施形態において、増幅器２２０は、複数の入力信号を受信して対応する複数の出力信号を与えるように構成することができる。フィルタアセンブリ２７２は、特定の周波数帯域に対応する信号を、増幅器２２０への指定経路に沿うように向けるべく構成することができる。一定の実装において、増幅器２２０は、受信した信号に対し異なる利得モードを与えることができる。可変インピーダンス段２３２は、増幅器２２０に結合されたスイッチ２３４を使用して、異なるインピーダンスを選択することができる。選択されたインピーダンスは、少なくとも部分的に、増幅器２２０の利得モードに基づく。一定の実装において、増幅器２２０は、バイパス構成においては信号がバイパス経路を通過するように動作することができ、増幅構成においては信号が増幅経路を通過するように動作することができる。選択されたインピーダンスは、可変インピーダンス段２３２により与えられる。これにより、有利なことに、ＤＲｘ  ＦＥＭ２０８は、線形性（例えばＩＩＰ３）及び／又は雑音指数（ＮＦ）へのマイナスの影響を、バイパス経路及び／又は可変インピーダンスを選択的に与えることがない構成と比べて低減している間に、可変利得及び／又は複数の利得モードを与えることができる。増幅器２２０は、望ましい又は目標とする増幅を与えるように構成された任意の適切な増幅器回路を含み得る。いくつかの実施形態において、増幅器２２０は低雑音増幅器（ＬＮＡ）回路を含み、これは、複数の入力部又はマルチ入力ＬＮＡにおいて受信された複数の周波数帯域（例えばセルラー周波数帯域及び／又はＷＬＡＮ周波数帯域）からの信号を増幅するべく構成される。しかしながら、ここに記載される実施形態が、低雑音増幅器を利用する実装に限られず、任意の様々な増幅器を使用する実装も含むことを理解すべきである。
【００４０】
増幅器２２０は、複数の利得モードに少なくとも部分的に基づいて信号を増幅するように構成することができる。例えば、増幅器２２０は、第１利得モードのために第１の増幅又は利得を与え、第２利得モードのために第２の増幅又は利得を与え等のように構成することができる。増幅器２２０は、増幅器２２０に与えられる利得を制御する制御器１０２によって制御することができる。例えば、制御器１０２は、望ましい又は目標とする利得を示す信号を増幅器２２０に与えることができ、増幅器２２０は目標とする利得を与えることができる。制御器１０２は、例えば、無線デバイスにおける他のコンポーネントから、目標とする利得の指標を受信し、当該指標に少なくとも部分的に基づいて増幅器２２０を制御することができる。同様に、デジェネレーションスイッチング回路２３０は、増幅器２２０の利得モード及び／又は目標とする利得に少なくとも部分的に基づいて制御することができる。
【００４１】
制御器１０２は、あつらえられたインピーダンスを選択的に与えるべくＤＲｘ  ＦＥＭ２０８を制御するように構成することができる。例えば、制御器１０２及びＤＲｘ  ＦＥＭ２０８は、利得モードに少なくとも部分的に基づいて目標とするインピーダンスを与えるべく、可変インピーダンス段２３２を制御してスイッチ２３４を構成することができる。他例として、制御器１０２及びＤＲｘ  ＦＥＭ２０８は、少なくとも部分的に利得モードに基づいてバイパス経路を与えるべく、増幅器を制御することができる。他例として、制御器１０２及びＤＲｘ  ＦＥＭ２０８は、増幅器２２０を使用して複数の利得モードを与えることができる。
【００４２】
可変利得増幅器のアーキテクチャ例
【００４３】
フロントエンドモジュールは一般に、受信した信号を増幅するべく、低雑音増幅器（ＬＮＡ）のような増幅器を含む。様々な利得モードを与える無線デバイスにおいて、性能を改善するべく、可変の又はあつらえられたインピーダンスを利得段に選択的に与えることが有利となり得る。同様に、少なくとも一つの利得モードに対し、性能を改善する（例えば線形性を改善する）べく利得段をバイパスすることが有利となり得る。
【００４４】
したがって、ここに与えられるのは、可変利得増幅器の利得モードに少なくとも部分的に依存してデジェネレーションブロック及び／又はフィードバックブロックに可変の又はあつらえられたインピーダンスを選択的に与える可変利得増幅器である。これにより、有利なことに、一つ以上の利得モードにおいて性能ペナルティが低減又は排除される。さらに、可変インピーダンスを、目標とする利得モードにおける増幅プロセスの線形性を改善するように構成することができる。同様に、可変利得増幅器は、信号品質を改善するべく、低利得モードにおいて低損失バイパスモードを与えるように構成することができる。
【００４５】
図３Ａは、マルチ入力利得段３１２を含む可変利得増幅器構成例３１０ａを例示する。マルチ入力利得段３１２は、多数の入力を受信して当該受信した信号を利得段３２０によって選択的に増幅するか又はバイパスブロック３４０を通るバイパス経路を与えるように構成される。利得段３２０は、デジェネレーションスイッチングブロック３３０に結合される。デジェネレーションスイッチングブロック３３０は、可変利得増幅器構成３１０ａの利得モードに少なくとも部分的に基づいてあつらえられたインピーダンスを選択的に与えるように構成される。一定の実装において、マルチ入力利得段３１２は、別個の入力ポートにおいて多数の信号を受信するように構成される。別個の入力ポートはそれぞれが、一つ以上の特定のセルラー周波数帯域にある信号を受信するように構成される。例えば、第１帯域の信号が第１入力ポートで受信され、第２帯域の信号が第２入力ポートで受信され、第３帯域の信号が第３入力ポートで受信される。
【００４６】
可変利得増幅器３１０ａは、スイッチングネットワークを使用することなくマルチ入力処理を与えるように構成することができる。可変利得増幅器３１０ａは、デジェネレーションスイッチングブロック３３０の使用を通じて相対的に高い線形性を達成するように構成することができる。一定の実装において、バイパスブロック３４０はシャントスイッチを含む。シャントスイッチは、かかるスイッチを有する構成と比べて高い入力対出力分離性を与えることができる。可変利得増幅器３１０ａは、入力部からの信号を、バイパスブロック３４０を通るが利得段３２０を通らないように向けることによって低損失ダイレクトバイパスモードを与えるように構成することができる。低損失ダイレクトバイパスモードは、例えば低利得モードに実装することができる。
【００４７】
可変利得増幅器３１０ａは、電圧を電流利得段３２０に与えるマルチ入力利得段３１２を含む。マルチ入力利得段３１２は、入力間の分離性を与えるように構成することができる。いくつかの実施形態において、可変利得増幅器３１０ａは、各入力部に対するデジェネレーションスイッチングブロック３３０を含んで入力部をさらに分離させることができる。
【００４８】
デジェネレーションスイッチングブロック３３０は、インピーダンスを利得段３２０入力部に与えるように構成される。このようにして、処理チェーンにおける前段と整合する電力及び／又は雑音を与えることにより、性能を改善することができる。デジェネレーションスイッチングブロック３３０は、フィードバックメカニズムを与えることにより、利得段３２０の線形性を改善するように構成することができる。いくつかの実施形態において、デジェネレーションスイッチングブロック３３０は、第１利得モードに対して第１インピーダンスを与え、第２利得モードに対して第２インピーダンスを与えるように構成される。デジェネレーションスイッチングブロック３３０が与える選択されたインピーダンスはまた、利得段３２０の線形性も改善するように構成することができる。可変利得増幅器３１０ａは、バイパスモードにおいてデジェネレーションスイッチングブロック３３０をバイパスするように構成することができる。このようにして、利得段３２０を通過する漏洩電流を低減又は最小化することにより、線形性能を改善することができる。
【００４９】
バイパスブロック３４０は、多数の入力部からの信号を受信するべく、及び利得段３２０又はデジェネレーションスイッチングブロック３３０を通過しない出力部への経路を与えるべく、構成される。バイパスブロック３４０は、可変利得増幅器３１０ａが与える利得モードの一つ以上において入力部と出力部とを分離する役割を果たすコンポーネントを含み得る。
【００５０】
中間利得モードフィードバックブロック３５０ａは、可変利得増幅器３１０ａが与える利得モードの部分集合に対してアクティブにされるように構成される。中間利得モードフィードバックブロック３５０ａは、目標とするインピーダンスを入力信号に与えるように構成される。これは、増幅プロセスの線形性の改善に役立ち得る。中間利得モードフィードバックブロック３５０ａは、可変利得増幅器３１０ａ内でのフィードバックを制御するように構成することもできる。中間利得モードフィードバックブロック３５０ａは、第２のデジェネレーションブロックを回路に含むのと同様の機能性を与えるように構成することができる。
【００５１】
バイパススイッチ３６０は、バイパスブロック３４０を介した入力部から出力部への経路、又は利得段３２０を介した入力部から出力部への経路を選択的に与えるように構成される。バイパススイッチ３６０は、可変利得増幅器３１０ａの利得モードに少なくとも部分的に基づいて、望ましい経路を分離及び／又は選択する一つ以上のスイッチング素子を含み得る。
【００５２】
一定の実施形態において、可変利得増幅器３１０ａは、複数の利得モード、例えば利得モードＧ０、Ｇ１、…、ＧＮを与えるように構成することができる。Ｇ０は最高利得であり、ＧＮはバイパスモードである。利得モードＧＮで動作するとき、可変利得増幅器３１０ａは、信号を入力部からバイパスブロック３４０へと向けるように構成することができる。利得モードＧ０〜ＧＮ−１で動作するとき、可変利得増幅器３１０ａは、利得段３２０を通るように信号を向けてデジェネレーションスイッチングブロック３３０をアクティブにするように構成することができる。デジェネレーションスイッチングブロック３３０は、個々の利得モードに対し又は複数群の利得モードに対し異なるインピーダンスレベルを与えるように構成することができる。これらの利得モードであっても、バイパスブロック３４０は、入力部と出力部との分離性を与えるべくバイパスブロック３４０のシャントスイッチをアクティブにすることにより、少なくとも部分的にアクティブになることができる。可変利得増幅器３１０ａは、利得モードＧ０〜ＧＮ−１の一つ以上に対して中間利得モードフィードバックブロック３５０ａをアクティブにするように構成することができる。
【００５３】
可変利得信号増幅器３１０ａは、本開示の中間利得モードフィードバックブロック３５０ａ、バイパスブロック３４０、デジェネレーションスイッチングブロック３３０を有しない増幅器と比べ、相対的に低い雑音及び高い線形性（例えばより高いＩＩＰ３）を達成するように構成することができる。可変利得信号増幅器３１０ａは、セルラー信号、ＷＬＡＮ信号、ＢＬＵＥＴＯＯＴＨ（登録商標）信号、ＧＰＳ信号等のような無線周波数（ＲＦ）信号を増幅するように構成することができる。可変利得信号増幅器３１０ａは、多数の入力部において複数の周波数帯域にわたる信号を受信して当該信号を処理することにより、広帯域性能を与えるように構成することができる。可変利得信号増幅器３１０ａは、それぞれの入力部における信号を独立して処理するように構成することができる。可変利得信号増幅器３１０ａは、制御器（例えば図１及び図２を参照してここに記載される制御器１０２）のような制御回路アセンブリが制御するように構成することができる。制御回路アセンブリは、経路を増幅経路とバイパス経路との間でインテリジェントかつ選択的に切り替えることができ、デジェネレーションスイッチングブロック３３０により選択的にインピーダンスを与えることができる。
【００５４】
３個の入力部が例示されるにもかかわらず、可変利得増幅器３１０ａが任意数の適切な入力部を含み得ることを理解すべきである。例えば、限定なく、可変利得増幅器３１０ａは、少なくとも２個の入力部、少なくとも４個の入力部、少なくとも８個の入力部、少なくとも１６個の入力部、少なくとも３２個の入力部、少なくとも６４個の入力部、又は記載された範囲で少なくとも任意数の入力部を含んでよい。他例としてかつ限定なく、可変利得増幅器３１０ａは、６４個以下の入力部、３２個以下の入力部、１６個以下の入力、８個以下、４個以下の入力部、又は記載された範囲で任意数以下の入力部を含んでよい。
【００５５】
図３Ｂは、一定の素子の付加とともに図３Ａの可変利得増幅器３１０ａと同じコンポーネントを含む他の可変利得増幅器例３１０ｂを例示する。例えば、可変利得増幅器３１０ｂは整合ネットワーク３１３、３１８及び３４５を含む。入力整合ネットワーク３１３は、入力部において受信した信号に対してインピーダンス整合を与えるように構成される。出力整合ネットワーク３１８も同様に、出力負荷３１６と利得段３２０及びカスコードバッファ３１４を含む増幅器とに対してインピーダンス整合を与えるように構成される。バイパス整合ネットワーク３４５も同様に、バイパスブロック３４０に対してインピーダンス整合を与える。整合ネットワーク３１３、３１８、３４５に対し、目標とするインピーダンスを与えるべく、インダクタ及びキャパシタの任意の適切な組み合わせを使用することができる。
【００５６】
可変利得増幅器３１０ｂはまた、出力負荷３１６と、増幅チェーンの一部としてのカスコードバッファ３１４とを含む。カスコードバッファ３１４は、電流バッファとして作用するように構成することができる。カスコードバッファ３１４は、利得段３２０と出力部との分離性を与えるように構成される。カスコードバッファ３１４はまた、可変利得増幅器３１０ｂの利得を改善するように構成することもできる。出力負荷３１６は、出力電圧振幅を生成するべく負荷を電流に与えるように構成される。出力負荷３１６は、入力部において受信した各帯域に対してチューニングされ又はチューニング可能となるように構成することができる。出力負荷３１６は、出力負荷３１６の抵抗をあつらえることにより、反射損失を改善し及び／又は帯域幅を増加させるように構成することができる。電圧ＶＤＤは、可変利得増幅器３１０ｂの利得モードを設定するように構成することができる。例えば、電圧ＶＤＤは、出力負荷３１６を介して流れる電流が低くなることが、可変利得増幅器３１０ｂの利得が低くなることに対応するように構成することができる。
【００５７】
図３Ｃは、図３Ａの可変利得増幅器３１０ａと同様であるが、バイパススイッチ３６０が除外された他の可変利得増幅器例３１０ｃを例示する。バイパススイッチ３６０が存在しないので、バイパスブロック３４０の出力は、利得段３２０の出力部の出力に結合される。さらに、中間利得モードフィードバックブロックが、シャットダウンスイッチブロック３５０ｃに置換されているが、シャットダウンスイッチブロック３５０ｃは、図３Ａの可変利得増幅器３１０ａにおけるように出力部に結合されているわけではない。その代わり、シャットダウンスイッチブロック３５０ｃは、増幅器３１０ｃにおける漏洩を低減するべく入力ノードを選択的に分離するように構成される。いくつかの実施形態において、これは、入力部が使用されていないときに入力ノードと基準電位ノードとの間にあるスイッチをアクティブにすることによってアクティブにすることができる。様々な実装において、スイッチは、容量素子を介して入力ノードを基準電位ノードに結合することができる。
【００５８】
図３Ｄは、一定の素子の付加とともに、図３Ｃの可変利得増幅器３１０ｃと同じコンポーネントを含む他の可変利得増幅器例３１０ｄを例示する。例えば、可変利得増幅器３１０ｄは、整合ネットワーク３１３、３１８及び３４５を含む。入力整合ネットワーク３１３は、入力部において受信した信号に対してインピーダンス整合を与えるように構成される。出力整合ネットワーク３１８も同様に、出力負荷３１６と利得段３２０及びカスコードバッファ３１４を含む増幅器とに対してインピーダンス整合を与えるように構成される。バイパス整合ネットワーク３４５も同様に、バイパスブロック３４０に対してインピーダンス整合を与える。整合ネットワーク３１３、３１８、３４５に対し、目標とするインピーダンスを与えるべく、インダクタ及びキャパシタの任意の適切な組み合わせを使用することができる。
【００５９】
可変利得増幅器３１０ｄはまた、出力負荷３１６と、増幅チェーンの一部としてのカスコードバッファ３１４とを含む。カスコードバッファ３１４は、電流バッファとして作用するように構成することができる。カスコードバッファ３１４は、利得段３２０と出力部との分離性を与えるように構成される。カスコードバッファ３１４はまた、可変利得増幅器３１０ｄの利得を改善するように構成することもできる。出力負荷３１６は、出力電圧振幅を生成するべく負荷を電流に与えるように構成される。出力負荷３１６は、入力部において受信した各帯域に対してチューニングされ又はチューニング可能となるように構成することができる。出力負荷３１６は、出力負荷３１６の抵抗をあつらえることにより、反射損失を改善し及び／又は帯域幅を増加させるように構成することができる。電圧ＶＤＤは、可変利得増幅器３１０ｄの利得モードを設定するように構成することができる。例えば、電圧ＶＤＤは、出力負荷３１６を介して流れる電流が低くなることが、可変利得増幅器３１０ｄの利得が低くなることに対応するように構成することができる。
【００６０】
図４は、入力信号を受信して増幅された出力信号を生成するように構成された可変利得段４２０を含む可変利得信号増幅器４１０を例示する。可変利得信号増幅器４１０はまた、可変利得段４２０に結合されたデジェネレーションスイッチングブロック４３０も含む。デジェネレーションスイッチングブロック４３０は、可変利得段４２０の複数の異なる利得レベルを与えるべく構成することができる。
【００６１】
図５は、様々な利得レベルを有する信号増幅器５２０に結合された可変インピーダンス段５３２を含むデジェネレーションスイッチング回路５３０を例示する。可変インピーダンス段５３２は、様々な利得レベルに関連付けられた様々なインピーダンス値を与えるように構成することができる。デジェネレーションスイッチング回路５３０は、可変インピーダンス段５３２と動作可能に関連付けられたスイッチ５３４を含む。スイッチ５３４は、可変インピーダンス段５３２を基準電位ノードから選択的に分離するように実装される。
【００６２】
図６は、図３Ｂを参照してここに記載される可変利得増幅器３１０ｂと同様に構成された可変利得増幅器構成例６１０を例示する。可変利得増幅器６１０は、増幅器の実装例を実証する電気コンポーネント例を含む。しかしながら、これは実装例の単なる例示であり、本開示の範囲が、同様のアーキテクチャを包含する付加的な実装まで拡張されることを理解するべきである。
【００６３】
可変利得増幅器構成６１０は、入力Ａ、Ｂ及びＣを受信して当該受信した信号を、トランジスタＱ１０を有するカスコードバッファ６１４と連動する対応トランジスタＱ３、Ｑ４及びＱ５によって選択的に増幅するように構成されたマルチ入力利得段６１２を含む。マルチ入力利得段６１２はまた、入力Ａ、Ｂ及びＣそれぞれに対してスイッチングトランジスタＱ６、Ｑ７及びＱ８を含むバイパスブロック３４０を通るバイパス経路を与えるように構成される。
【００６４】
マルチ入力利得段６１２は、デジェネレーションスイッチングブロック６３０に結合される。デジェネレーションスイッチングブロック６３０は、可変利得増幅器構成６１０の利得モードに少なくとも部分的に基づいてあつらえられたインピーダンスを選択的に与えるように構成される。一定の実装において、マルチ入力利得段６１２は、別個の入力ポートにおいて多数の信号を受信するように構成される。別個の入力ポートはそれぞれが、一つ以上の特定のセルラー周波数帯域にある信号を受信するように構成される。例えば、入力部Ａが第１帯域の信号を受信し、入力部Ｂが第２帯域の信号を受信し、入力部Ｃが第３帯域の信号を受信する。いくつかの実施形態において、トランジスタＱ３、Ｑ４及びＱ５はそれぞれが、入力ポート間の分離性を増加させるべく、専用のデジェネレーションスイッチングブロック６３０に結合され得る。これらの入力部はそれぞれ、入力インピーダンス整合を与えるべくインダクタＬ４、Ｌ５及びＬ６に結合される。
【００６５】
可変利得増幅器構成６１０は、スイッチングネットワークを使用することなくマルチ入力処理を与えるように構成することができる。可変利得増幅器構成６１０は、デジェネレーションスイッチングブロック６３０の使用を介して相対的に高に線形性を達成するように構成することができる。一定の実装において、バイパスブロック６４０は、かかるスイッチを有する構成と比べ高い入力対出力分離性を与えることができるシャントスイッチＱ９を含む。可変利得増幅器構成６１０は、入力部からバイパスブロック６４０を通るように信号を向けることにより、低損失ダイレクトバイパスモードを与えるように構成することができる。低損失ダイレクトバイパスモードは、例えば低利得モードに実装することができる。
【００６６】
可変利得増幅器構成６１０は、トランジスタＱ３〜Ｑ５を含む電流利得段に電圧を与えるマルチ入力利得段３１２を含む。マルチ入力利得段３１２は、電圧を電流利得段に与えるように構成される。さらに、マルチ入力利得段３１２は、それぞれの入力信号を、トランジスタＱ１０を含むカスコードバッファ６１４と連動して増幅するように構成され、カスコードバッファ６１４は、入力インピーダンスを低下させかつ出力インピーダンスを増加させる電流バッファとして作用するように構成される。
【００６７】
デジェネレーションスイッチングブロック６３０は、マルチ入力利得段６１２の利得段にインピーダンスを与えるように構成される。このようにして、処理チェーンにおける前段と整合する電力及び／又は雑音を与えることにより、性能を改善することができる。デジェネレーションスイッチングブロック６３０は、フィードバックメカニズムを与えることにより、利得段（例えばトランジスタＱ３〜Ｑ５）の線形性を改善するように構成することができる。デジェネレーションスイッチングブロック６３０は、トランジスタＱ２及びトランジスタＱ１をそれぞれアクティブにすることにより、第１インピーダンスＬ１を第１利得モードに与え、Ｌ１及びＬ２により得られる第２インピーダンスを第２利得モードに与えるように構成することができる。デジェネレーションスイッチングブロック６３０が与える選択されたインピーダンスはまた、利得段の線形性を改善するように構成することもできる。可変利得増幅器構成６１０は、バイパスモードにおいてデジェネレーションスイッチングブロック６３０をバイパスするように構成することができる。このようにして、利得段を通過する漏洩電流を低減又は最小化することにより、線形性能を改善することができる。一定の実装において、デジェネレーションスイッチングブロック６３０は、低いインダクタンスを高い利得モードに与えるように構成することができる。デジェネレーションスイッチングブロック６３０が与えるインダクタンスの量は、可変利得増幅器構成６１０の利得モードの変化によって変更することができる。
【００６８】
バイパスブロック６４０は、多数の入力部からの信号を受信するべく、及び利得段（例えばトランジスタＱ３〜Ｑ５）又はデジェネレーションスイッチングブロック６３０を通過しない出力部への経路を与えるべく、構成される。バイパスブロック６４０は、トランジスタＱ１１及びキャパシタＣ１を介した出力部への単数の経路を与えるように構成される。キャパシタＣ１は、直流（ＤＣ）電圧を出力供給からブロックするように構成することができる。バイパスブロック６４０はまた、入力部を出力部から分離する補助となるようにバイパスブロック６４０を選択的に基準電位ノードに結合するトランジスタＱ９を介したシャントスイッチを含む。バイパス整合ネットワーク６４５は、付加的なインピーダンス整合柔軟性を与えることができる。
【００６９】
中間利得モードフィードバックブロック６５０は、可変利得増幅器構成６１０が与える利得モードの部分集合に対してアクティブにされるように構成される。中間利得モードフィードバックブロック６５０は、目標とするインピーダンスを入力信号に与えるように構成される。これは、増幅プロセスの線形性の改善に役立ち得る。システムにおけるフィードバックの量を制御するべく、ＲＣ整合ネットワーク６５１を使用することができる。さらに、ＲＣ整合ネットワーク６５１は、ＤＣ電圧のためのブロックとして機能するように構成することができる。ＲＣ整合ネットワーク６５１は、振幅及び位相のフィードバック挙動を制御するように構成することができる。ＲＣ整合ネットワーク６５１は、キャパシタ、抵抗器、直列のキャパシタ及び抵抗器、又はキャパシタ、抵抗器及び他のコンポーネントの任意の適切な組み合わせを含み得る。中間利得モードフィードバックブロック６５０はまた、可変利得増幅器６１０内のフィードバックを制御するように構成することもできる。中間利得モードフィードバックブロック６５０は、第２のデジェネレーションブロックを回路に含むのと同様の機能性を与えるように構成することができる。
【００７０】
アクティブになると、入力部Ａ、Ｂ及びＣそれぞれからの信号が、ポイントＡ、Ｂ及びＣにおいて中間利得フィードバックブロック６５０に入り、ポイントＤにおいて当該ブロックから出る。このポイントＤは、出力整合ネットワーク６１８及びバイパススイッチ６６０に先立って回路に結合される。言い換えると、中間利得モードフィードバックブロック６５０は、入力部Ａ、Ｂ及びＣそれぞれを、トランジスタＱ１４〜Ｑ１６及びＱ１８を介して出力部に結合することができる。付加的なトランジスタＱ１７は、バイパスブロック６４０と同様にシャントスイッチを基準電位ノードに与えるように構成することができる。ポイントＤは、出力整合ネットワーク６１８の先となるように、出力整合ネットワーク６１８内となるように、又は出力整合ネットワーク６１８の後となるように位置決めすることができる。中間利得モードフィードバックブロック６５０は、入力と出力との相殺を生成するべく構成することができるので、ポイントＤは、性能を改善するべく可変利得増幅器構成６１０内に位置決めすることができる。
【００７１】
バイパススイッチ６６０は、入力部Ａ、Ｂ及びＣからバイパスブロック６４０を介して出力部への経路、又は入力部Ａ、Ｂ及びＣから利得段素子及び増幅器素子（例えばカスコードバッファ６１４及び出力整合ネットワーク６１８）を介して出力部への経路を選択的に与えるように構成される。バイパススイッチ６６０は、増幅経路と出力部との接続を制御するトランジスタＱ１２と、バイパス経路と出力部との接続を制御するトランジスタＱ１３とを含む。バイパススイッチ６６０は、可変利得増幅器６１０の利得モードに少なくとも部分的に基づいて制御することができる。
【００７２】
整合ネットワーク６１８及び６４５は、目標とするインピーダンスを与えるべく使用することができるインダクタ及びキャパシタの任意の適切な組み合わせを含み得る。出力整合ネットワーク６１８は、出力負荷６１６と利得段（例えばトランジスタＱ３〜Ｑ５）及びカスコードバッファ６１４を含む増幅器とに対してインピーダンス整合を与えるように構成される。バイパス整合ネットワーク６４５も同様に、バイパスブロック６４０のためのインピーダンス整合を与える。
【００７３】
可変利得増幅器６１０は、出力負荷６１６と、増幅経路の一部としてのカスコードバッファ６１４とを含む。カスコードバッファ６１４は、電流バッファとして作用するべく構成されたトランジスタＱ１０を含む。カスコードバッファ６１４は、利得段と出力部との分離性を与えるように構成される。カスコードバッファ６１４はまた、可変利得増幅器６１０の利得を改善するように構成することもできる。出力負荷６１６は、出力電圧振幅を生成するべく付加を電流に与えるように構成される。出力負荷６１６は、入力部において受信した各帯域に対してチューニングされ又はチューニング可能となるように構成することができる。例えば、出力負荷は、特定のセルラー周波数帯域に対してチューニング可能な可変キャパシタＣ２を含む。出力負荷６１６はまた、出力負荷６１６の抵抗Ｒ１をあつらえることにより、反射損失を改善し及び／又は帯域幅を増加させるように構成することもできる。
【００７４】
電圧ＶＤＤは、可変利得増幅器３１０ｂの利得モードを設定するように構成することができる。例えば、電圧ＶＤＤは、出力負荷３１６を介して流れる電流が低くなることが、可変利得増幅器３１０ｂの利得が低くなることに対応するように構成することができる。
【００７５】
図７Ａ〜図７Ｃは、図６の可変利得信号増幅器構成６１０の動作モードの複数例を例示する。図７Ａは、一つ以上の高利得モードにおける動作を例示する。これらの高利得モードにおいて、バイパスブロック６４０は、シャントスイッチＱ９を除いてアクティブ解除される。入力部Ａ、Ｂ及びＣにおいて受信した信号は、トランジスタＱ３〜Ｑ５を含む利得段を通るようにかつカスコードバッファ６１４を通るように向けられ、出力整合ネットワーク６１８及びバイパススイッチ６６０を通って出力部に至る。バイパススイッチは、これらの高利得モードにおいてＱ１２をアクティブにし、Ｑ１３をアクティブ解除する。さらに、これらの高利得モードにおいて、トランジスタＱ２がオンにされ、トランジスタＱ１はオフにされるので、デジェネレーションスイッチングブロック６３０を介して利得段に与えられるインダクタンスはＬ１となる。これらの高利得モードにおいて、中間利得モードフィードバックブロック６５０もアクティブ解除される。
【００７６】
図７Ｂは、一つ以上の中間利得モードにおける動作を例示する。これらのモードはまた、低利得高線形性モードと称することができる。これらの中間利得モードでの動作は、顕著な差異を有する一つ以上の高利得モードの動作と同様である。第一に、デジェネレーションブロック６３０において、トランジスタＱ２がオフにされ、トランジスタＱ１がオンにされるので、デジェネレーションスイッチングブロック６３０を介して利得段に与えられるインダクタンスは、Ｌ１及びＬ２の双方により与えられる。よって、利得モードが低くなると増加したインピーダンスが得られ、又は利得モードが高くなると減少したインピーダンスが得られる。第二に、中間利得モードフィードバックブロック６５０がアクティブにされる。これにより、第２のデジェネレーションブロックを加えたのと同様に、回路への付加的なフィードバックが得られる。
【００７７】
図７Ｃは、一つ以上の低利得モードにおける動作を例示する。これらの低利得モードでは、バイパスブロック６４０がアクティブにされ、利得段トランジスタＱ３〜Ｑ５がアクティブ解除される。入力部Ａ、Ｂ及びＣにおいて受信した信号は、バイパスブロック６４０を介し、バイパス整合ネットワーク６４５及びバイパススイッチ６６０を介し、出力部に向けられる。これらの低利得モードにおいて、バイパススイッチはＱ１３をアクティブにし、Ｑ１２をアクティブ解除する。さらに、デジェネレーションスイッチングブロック６３０をアクティブ解除するべくトランジスタＱ１及びＱ２はオフにされ、利得段トランジスタＱ３〜Ｑ５を通る漏洩電流を低減又は最小化することにより、線形性能が改善される。中間利得モードフィードバックブロック６５０もまた、これらの低利得モードにおいてアクティブ解除される。
【００７８】
図８は、図６の可変利得信号増幅器構成６１０と同様であるが、バイパススイッチ６６０が除外された可変利得信号増幅器８１０を例示する。バイパススイッチを除外することにより、バイパス整合ネットワーク６４５の出力がその代わりに、出力整合ネットワーク６１８の入力ノードに結合される。この構成では、増幅経路又はバイパス経路の選択を制御するバイパススイッチが存在しない。むしろ、利得段の選択されたトランジスタ（例えばトランジスタＱ３〜Ｑ５）、及びバイパスブロックの選択されたトランジスタ（例えばトランジスタＱ６〜Ｑ８）が、バイパス経路又は増幅経路を与えるべく選択的にアクティブにされ及びアクティブ解除される。
【００７９】
図９は、図６の可変利得信号増幅器構成６１０と同様であるが、中間利得モードフィードバックモジュールの代わりにシャットダウンスイッチブロック９５０を有する可変利得信号増幅器９１０を例示する。この構成では、出力整合ネットワーク６１８の出力ノードにおいてシャットダウンスイッチブロック９５０が増幅経路に結合されないので、ポイントＤが除外される。その代わり、シャットダウンスイッチブロック９５０は、入力ノードＡ、Ｂ及びＣを選択的に分離するべく構成されたトランジスタＱ１４〜Ｑ１６及びキャパシタＣ３〜Ｃ５を含む。いくつかの実施形態において、シャットダウンスイッチブロック９５０はキャパシタＣ３〜Ｃ５を含まない。シャットダウンスイッチブロック９５０は、対応する入力部が使用されていないときにスイッチをオンにする（例えばトランジスタをアクティブにする）ように構成することができる。これは、増幅器構成における漏洩を低減又は排除するべく、当該入力部をグランドに対してシャットオフするように行うことができる。
【００８０】
図１０は、図９の可変利得信号増幅器構成９１０と同様であるが、バイパススイッチ６６０が除外された可変利得信号増幅器１０１０を例示する。図８の可変利得信号増幅器８１０と同様に、バイパススイッチが除外されることにより、バイパス整合ネットワーク６４５の出力が出力整合ネットワーク６１８の入力ノードに結合される結果となる。この構成では、増幅経路又はバイパス経路の選択を制御するバイパススイッチが存在しない。むしろ、利得段の選択されたトランジスタ（例えばトランジスタＱ３〜Ｑ５）、及びバイパスブロックの選択されたトランジスタ（例えばトランジスタＱ６〜Ｑ８）が、バイパス経路又は増幅経路を与えるべく選択的にアクティブにされ及びアクティブ解除される。
【００８１】
製品及びアーキテクチャの例
【００８２】
図１１は、いくつかの実施形態において、特徴（例えば図１〜図１０）の組み合わせを有するダイバーシティ受信器構成のいくつか又はすべてを含むダイバーシティ受信器構成のいくつか又はすべてを、全体的又は部分的にモジュールに実装することができる。かかるモジュールは、例えば、フロントエンドモジュール（ＦＥＭ）としてよい。かかるモジュールは、例えば、ダイバーシティ受信器（ＤＲｘ）ＦＥＭとしてよい。かかるモジュールは、例えば、マルチ入力・マルチ出力（ＭｉＭｏ）モジュールとしてよい。
【００８３】
図１１の例において、モジュール１１０８はパッケージ基板１１０１を含み、かかるパッケージ基板１１０１に一定数のコンポーネントが取り付けられる。例えば、（フロントエンド電力管理集積回路［ＦＥ−ＰＩＭＣ］を含み得る）制御器１１０２、組み合わせアセンブリ１１０６、ここに記載される一つ以上の特徴を有する利得段１１２０及びデジェネレーションスイッチングブロック１１３０を含む可変利得増幅器アセンブリ１１１０、並びに（一つ以上の帯域通過フィルタを含み得る）フィルタバンク１１０８を、パッケージ基板１１０１上に及び／又はパッケージ基板１１０１内に取り付け及び／又は実装することができる。一定数のＳＭＴデバイス１１０５のような他のコンポーネントを、パッケージ基板１１０１に取り付けることもできる。様々なコンポーネントのすべてがパッケージ基板１１０１上にレイアウトされるように描かれているにもかかわらず、一定のコンポーネントを他のコンポーネントの上に実装することもできることが理解される。
【００８４】
図１２は、いくつかの実施形態において、特徴（例えば図１〜図１０）の組み合わせを有するダイバーシティ受信器構成のいくつか又はすべてを含むダイバーシティ受信器構成のいくつか又はすべてを、全体的又は部分的にアーキテクチャに実装することができる。かかるアーキテクチャは一つ以上のモジュールを含み、ダイバーシティ受信器（ＤＲｘ）フロントエンド機能のようなフロントエンド機能を与えるように構成することができる。
【００８５】
図１２の例において、アーキテクチャ１２０８は、（フロントエンド電力管理集積回路［ＦＥ−ＰＩＭＣ］を含み得る）制御器１２０２、組み合わせアセンブリ１２０６、ここに記載される一つ以上の特徴を有する利得段１２２０及びデジェネレーションスイッチングブロック１２３０を含む可変利得増幅器アセンブリ１２１０、並びに（一つ以上の帯域通過フィルタを含み得る）フィルタバンク１２０８を、パッケージ基板１２０１上に及び／又はパッケージ基板１２０１内に取り付け及び／又は実装することができる。一定数のＳＭＴデバイス１２０５のような他のコンポーネントもまた、アーキテクチャ１２０８に実装することができる。
【００８６】
いくつかの実装において、ここに記載される一つ以上の特徴を有するデバイス及び／又は回路は、無線デバイスのようなＲＦ電子デバイスに含めることができる。かかるデバイス及び／又は回路は、無線デバイスに直接、ここに記載されるモジュラー形態で、又はこれらの一定の組み合わせで実装することができる。いくつかの実施形態において、かかる無線デバイスは、例えば、携帯電話機、スマートフォン、電話機能あり又はなしのハンドヘルド無線デバイス、無線タブレット等を含み得る。
【００８７】
図１３は、ここに記載される一つ以上の有利な特徴を有する無線デバイス例１３００を描く。ここに記載される一つ以上の特徴を有する一つ以上のモジュールの文脈において、かかるモジュールは一般に、（例えばフロントエンドモジュールとして実装可能な）破線の囲い１３０６、及び（例えばフロントエンドモジュールとして実装可能な）ダイバーシティ受信器（ＤＲｘ）モジュール１３０８によって描かれる。
【００８８】
図１３を参照すると、複数の電力増幅器（ＰＡ）１３８２がそれぞれ、送受信器１３０４からＲＦ信号を受信することができる。送受信器１３０４は、増幅及び送信対象のＲＦ信号を生成するように、及び受信信号を処理するように、構成されて動作することができる。送受信器１３０４は、ユーザに適したデータ及び／又は音声信号と送受信器１３０４に適したＲＦ信号との間の変換を与えるように構成されたベース帯域サブシステム１３０５と相互作用をするように示される。送受信器１３０４はまた、無線デバイス１３００の動作を目的として電力を管理するべく構成された電力管理コンポーネント１３０７と通信することもできる。かかる電力管理はまた、ベース帯域サブシステム１３０５並びにモジュール１３０６及び１３０８の動作も制御することができる。
【００８９】
ベース帯域サブシステム１３０５は、ユーザに与えられ及びユーザから受信する音声及び／又はデータの様々な入力及び出力を容易にするべくユーザインタフェイス１３０１に接続されるように示される。ベース帯域サブシステム１３０５はまた、無線デバイスの動作を容易にするべく及び／又はユーザのための情報格納を与えるべく構成されたメモリ１３０３にも接続される。メモリ１３０３は、データ及び／又は命令を格納するように構成される。
【００９０】
無線デバイス例１３００において、ＰＡ１３８２の出力は、（各整合回路１３８４を介して）整合されて各デュプレクサ１３８６へと引き回される。かかる増幅されかつフィルタリングされた信号は、送信を目的としてスイッチングネットワーク１３０９を介して一次アンテナ１３６０へと引き回すことができる。いくつかの実施形態において、デュプレクサ１３８６により、共通アンテナ（例えば一次アンテナ１３６０）を使用して送信動作及び受信動作を同時に行うことが許容され得る。図１３において、受信信号は、ここに開示の可変利得増幅器の特徴及び利益を与える可変利得増幅器アセンブリ１３１０ａへと引き回されるように示される。ＤＲｘモジュール１３０８も、同様の可変利得増幅器アセンブリ１３１０ｂを含む。
【００９１】
無線デバイス例１３００において、一次アンテナ１３６０において受信した信号は、フロントエンドモジュール１３０６の可変利得増幅器１３１０ａに送信され得る。可変利得増幅器１３１０ａは、利得段１３２０及びデジェネレーションスイッチングブロック１３３０を含み得る。可変利得増幅器１３１０ａは、入力部１３１１において複数の信号を受信し、出力部１３１９において複数の処理済み信号を出力するように構成される。可変利得増幅器１３１０ａは、利得モードに少なくとも部分的に基づいて信号を増幅するべく、及び利得モードに少なくとも部分的に基づいてデジェネレーションスイッチングブロック３３０を介して目標とするインピーダンスを与えるべく、構成される。これは、本記載の特徴の一つ以上を含むわけではない可変利得増幅器と比べ、信号の線形性を改善するように行うことができる。少なくとも一つの低利得モードでは、利得段１３２０及びデジェネレーションスイッチングブロック１３３０はバイパスしてよい。少なくとも一つの非低利得モードでは、ここに記載される中間利得モードフィードバックモジュールを介してのように、増幅プロセスの線形性を改善するべく可変利得増幅器１３１０ａにおいて付加的なフィードバックを与えることができる。
【００９２】
無線デバイスはまた、ダイバーシティアンテナ１３７０、及びダイバーシティアンテナ１３７０から信号を受信するダイバーシティ受信器モジュール１３０８も含む。ダイバーシティ受信モジュール１３０８は、フロントエンドモジュール１３０６における可変利得増幅器１３１０ａと同様の可変利得増幅器１３１０ｂを含む。ダイバーシティ受信器モジュール１３０８及び可変利得増幅器１３１０ｂは、受信した信号を処理し、処理した信号を送受信器１３０４に送信する。いくつかの実施形態において、ダイプレクサ、トライプレクサ、又は他のマルチプレクサ若しくはフィルタアセンブリを、ここに記載されるように、ダイバーシティアンテナ１３７０とダイバーシティ受信器モジュール１３７０との間に含めることができる。
【００９３】
本開示の一つ以上の特徴を、ここに記載される様々なセルラー周波数帯域とともに実装することができる。かかる帯域の例を表１に挙げる。理解されることだが、当該帯域の少なくともいくつかは、サブ帯域に分割することができる。本開示の一つ以上の特徴が、表１の例のような指定を有しない周波数範囲とともに実装し得ることも理解される。無線周波数（ＲＦ）及び無線周波数信号との用語が、少なくとも表１に挙げられる周波数を含む信号を言及することが理解される。
【表１】
2019528657.tif 000003
【００９４】
本明細書及び特許請求の範囲全体にわたり、文脈上そうでないことが明らかでない限り、「含む」、「備える」等の単語は、排他的又は網羅的な意味とは反対の包括的意味に、すなわち「〜を含むがこれらに限られない」との意味に解釈すべきである。ここで一般に使用される単語「結合」は、直接接続されるか又は一つ以上の中間要素を介して接続されるかのいずれかとなり得る２以上の要素を言及する。加えて、単語「ここ」、「上」、「下」及び同様の趣旨の単語は、本アプリケーションにおいて使用される場合、本アプリケーション全体を言及し、本アプリケーションの任意の特定部分を言及するわけではない。文脈が許容する場合、単数又は複数を使用する所定実施形態の上記説明における単語はそれぞれ、複数又は単数をも含み得る。２以上の項目のリストを言及する単語「又は」及び「若しくは」は、当該単語の以下の解釈のすべてをカバーする。すなわち、当該リストの任意の項目、当該リストのすべての項目、及び当該リストの項目の任意の組み合わせである。
【００９５】
本発明の実施形態の上記詳細な説明は、排他的であることすなわち本発明を上記開示の正確な形態に制限することを意図しない。本発明の及びその例の特定の実施形態が例示を目的として上述されたが、当業者が認識するように、本発明の範囲において様々な均等の修正も可能である。例えば、プロセス又はブロックが所与の順序で提示されるが、代替実施形態は、異なる順序でステップを有するルーチンを行うこと又はブロックを有するシステムを用いることができ、いくつかのプロセス又はブロックは削除、移動、追加、細分化、結合、及び／又は修正することができる。これらのプロセス又はブロックはそれぞれが、様々な異なる態様で実装することができる。また、プロセス又はブロックが直列的に行われるように示されることがあるが、これらのプロセス又はブロックは、その代わりに、並列して行い又は異なる時に行うこともできる。
【００９６】
ここに与えられた本発明の教示は、必ずしも上述のシステムに限られることがなく、他のシステムにも適用することができる。上述の様々な実施形態要素及び行為は、さらなる実施形態を与えるべく組み合わせることができる。
【００９７】
本発明のいくつかの実施形態が記載されたが、これらの実施形態は、例のみとして提示されており、本開示の範囲を制限することを意図しない。実際のところ、ここに記載される新規な方法及びシステムは、様々な他の形態で具体化することができる。さらに、ここに記載される方法及びシステムの形態における様々な省略、置換及び変更が、本開示の要旨から逸脱することなくなし得る。添付の特許請求の範囲及びその均等物が、本開示の範囲及び要旨に収まるかかる形態又は修正をカバーすることが意図される。
【図１】
2019528657.tif 000004
【図２】
2019528657.tif 000005
【図３Ａ】
2019528657.tif 000006
【図３Ｂ】
2019528657.tif 000007
【図３Ｃ】
2019528657.tif 000008
【図３Ｄ】
2019528657.tif 000009
【図４】
2019528657.tif 000010
【図５】
2019528657.tif 000011
【図６】
2019528657.tif 000012
【図７Ａ】
2019528657.tif 000013
【図７Ｂ】
2019528657.tif 000014
【図７Ｃ】
2019528657.tif 000015
【図８】
2019528657.tif 000016
【図９】
2019528657.tif 000017
【図１０】
2019528657.tif 000018
【図１１】
2019528657.tif 000019
【図１２】
2019528657.tif 000020
【図１３】
2019528657.tif 000021
【国際調査報告】
2019528657.tif 000022
2019528657.tif 000023
2019528657.tif 000024